(57)【要約】【課題】待機電力を抑制しつつコストダウンが図れる通信装置を提供する。【解決手段】プルアップ用電圧Ｖｐが供給される信号線２１ａを有して所定の信号を伝送するバス２１と、スタンバイ時及び電源オン時とも稼働して第１所定電圧３．３Ｖの供給源となる第１電源３１と、電源オン時のみ稼働して第２所定電圧５Ｖの供給源となる第２電源３２と、第１電源３１により駆動されると共にプルアップ用電圧Ｖｐが３．３Ｖ及び５Ｖの何れであるときもバス２１を介した通信が可能な第１デバイス３３と、第２電源３２により駆動されると共にプルアップ用電圧Ｖｐが５Ｖであるときにバス２１を介した通信が可能な第２デバイス３４とを備える通信装置３０において、スタンバイ時には第１電源３１によりプルアップ用電圧Ｖｐを供給する一方で、電源オン時には第２電源３２によりプルアップ用電圧Ｖｐを供給するプルアップ用電圧供給回路５０を備える。【選択図】図４
2009048405.tif 000002
【特許請求の範囲】
【請求項１】
プルアップ用電圧が供給される信号線を有して所定の信号を伝送するバスと、
スタンバイ時及び電源オン時とも稼働して第１所定電圧の供給源となる第１電源と、
電源オン時のみ稼働して前記第１所定電圧よりも所定値高い第２所定電圧の供給源となる第２電源と、
前記第１電源により駆動されると共に前記プルアップ用電圧が前記第１所定電圧及び前記第２所定電圧の何れであるときも前記バスを介した通信が可能な第１デバイスと、
前記第２電源により駆動されると共に前記プルアップ用電圧が第２所定電圧であるときに前記バスを介した通信が可能な第２デバイスと、
を備える通信装置において、
スタンバイ時には前記第１電源により前記プルアップ用電圧を供給する一方で、電源オン時には前記第２電源により前記プルアップ用電圧を供給するプルアップ用電圧供給回路を備えることを特徴とする通信装置。
【請求項２】
前記プルアップ用電圧供給回路は、
前記第１電源から前記信号線への前記プルアップ用電圧の供給を許容し且つ前記第２電源から前記第１電源への電流の流れを遮断するように該第１電源と該信号線との間に直列に配置される第１ダイオードと、
前記第２電源から前記信号線への前記プルアップ用電圧の供給を許容し且つ前記第１電源から前記第２電源への電流の流れを遮断するように該第２電源と該信号線との間に直列に配置される第２ダイオードと、
を備えることを特徴とする請求項１に記載の通信装置。
【請求項３】
前記プルアップ用電圧供給回路は、
前記第１ダイオードと同程度の特性であって、前記第１電源から前記第１デバイスへの方向を順方向として該第１電源と該第１デバイスとの間に直列に配置される第３ダイオードと、
前記第２ダイオードと同程度の特性であって、前記第２電源から前記第２デバイスへの方向を順方向として該第２電源と該第２デバイスとの間に直列に配置される第４ダイオードと、
を備えることを特徴とする請求項２に記載の通信装置。
【請求項４】
前記第１電源は、前記第１ダイオード及び前記第３ダイオードの順方向電圧降下分を前記第１所定電圧に加えた第１電源電圧を供給し、
前記第２電源は、前記第２ダイオード及び前記第４ダイオードの順方向電圧降下分を前記第２所定電圧に加えた第２電源電圧を供給することを特徴とする請求項３に記載の通信装置。
【請求項５】
前記バスは、２線式のシリアルバスであるＩＩＣバスであり、
前記第１所定電圧は、３．３Ｖであり、
前記第２所定電圧は、５Ｖであり、
前記第１デバイスは、薄型テレビジョン装置に備えられたマイコン及び記憶部であり、
前記第２デバイスは、前記薄型テレビジョン装置に備えられたチューナ及び信号処理回路であり、
前記プルアップ用電圧は、プルアップ抵抗を介して前記信号線に供給されており、
前記プルアップ用電圧供給回路は、
前記第１電源から前記信号線への前記プルアップ用電圧の供給を許容し且つ前記第２電源から前記第１電源への電流の流れを遮断するように該第１電源と該プルアップ抵抗との間に直列に配置される第１ダイオードと、
前記第２電源から前記信号線への前記プルアップ用電圧の供給を許容し且つ前記第１電源から前記第２電源への電流の流れを遮断するように該第２電源と該プルアップ抵抗との間に直列に配置される第２ダイオードと、
前記第１ダイオードと同程度の特性であって、前記第１電源から前記第１デバイスへの方向を順方向として該第１電源と該第１デバイスとの間に直列に配置される第３ダイオードと、
前記第２ダイオードと同程度の特性であって、前記第２電源から前記第２デバイスへの方向を順方向として該第２電源と該第２デバイスとの間に直列に配置される第４ダイオードとを備えるものであり、
前記第１電源は、前記第１ダイオード及び前記第３ダイオードの順方向電圧降下分を前記第１所定電圧の３．３Ｖに加えた第１電源電圧を供給するものであり、
前記第２電源は、前記第２ダイオード及び前記第４ダイオードの順方向電圧降下分を前記第２所定電圧の５Ｖに加えた第２電源電圧を供給するものであり、
前記薄型テレビジョン装置に備えられることを特徴とする請求項１に記載の通信装置。 
【発明の詳細な説明】
【技術分野】
【０００１】
本発明は、プルアップ用電圧が供給される信号線を有して所定の信号を伝送するバスを備える通信装置に関する。
【背景技術】
【０００２】
プルアップ用電圧が供給される信号線を有して所定の信号を伝送するバスを備える通信装置がよく知られている。
【０００３】
例えば、特許文献１には、インターフェース回路において、第１の電源及び第２の電源とを切り換えるための切り換え器と、その切り換え器に接続された複数のプルアップ抵抗と、それら複数のプルアップ抵抗にそれぞれ接続された複数のデータバスラインとを具備することで、インターフェース回路のプルアップ接続を変更することなく、マザーボードを変更した場合にその電源電圧に応じてインターフェース回路の電源電圧の変更を容易に行うことができることが開示されている。
【０００４】
また、特許文献２には、複数ある未使用ビット用のバスドライバを１つの新しいバスドライバで共通化して回路規模を縮小することができるレジスタ未使用ビット処理回路が開示されている。
【０００５】
また、特許文献３には、マイコンからデバイスへ５ＶのＨレベル信号を送る場合、バスの途中区間の信号レベルを５Ｖ〜３．３Ｖに下げ、デバイスの手前でもとの５ＶのＨレベル信号に戻してデバイスに入力することで、ＩＩＣ（Inter-Integrated Circuit）バスで発生したノイズがアナログ信号に影響を与えず、回路基板を小型にできるバス通信装置が開示されている。
【０００６】
また、特許文献４、５には、マイコンやチューナ回路等の各種回路がバスで接続されているテレビジョン装置が開示されている。
【０００７】
ここで、上記ＩＩＣバスは、クロックラインとデータラインとからなる２線式のシリアルバスであって、「Ｉ２Ｃバス」と表記されることもある。図５は、テレビジョン装置に備えられたマイコン等の各種デバイス間がＩＩＣバスで接続された一例を示すブロック図である。図５において、メインマイコン２や不揮発性半導体メモリの１種であるＥＥＰＲＯＭ３は、スタンバイ時及び電源オン時とも３．３Ｖの電圧を供給する電源（以下、３．３Ｖ系電源）にて駆動させられると共に、Ｉ２Ｃバス１の信号線をプルアップする電圧（以下、プルアップ用電圧）が３．３Ｖ〜５Ｖで駆動が可能なデバイス（以下、３．３Ｖ系デバイス）である。また、チューナ（ＴＵＮＥＲ）４やＩ２Ｃバス１にて制御する回路５は、電源オン時のみ５Ｖの電圧を供給する電源（以下、５Ｖ系電源）にて駆動させられると共に、プルアップ用電圧が５Ｖで駆動が可能なデバイス（以下、５Ｖ系デバイス）である。また、Ｉ２Ｃバス１のうちで実線はスタンバイ時及び電源オン時共に通信を行うラインであり、破線は電源オン時のみ通信を行うラインである。尚、上記スタンバイ時とは、例えばメイン電源のオン状態であってマイコン等の一部の回路にのみ電源が供給されてユーザによる各種操作（例えば電源オン操作）の受付を待ち受けていたり予約プログラムに従って待機している等の待機状態である。また、上記電源オン時とは、例えばその他作動に必要な回路にも電源が供給されて画面に映像を表示したりスピーカから音声を出力している等の通常作動状態である。
【０００８】
このようなスタンバイ時と電源オン時とで通信経路が異なるバスの信号線が存在する構成において電源オン時に破線部分を含めた通信を行うためには、３．３Ｖ系電源にてプルアップ用電圧を供給することはできないことから、５Ｖ系電源をスタンバイ時にも稼働させて５Ｖ系電源にてプルアップ用電圧を供給することが考えられる。そうすると、スタンバイ時にも５Ｖ系デバイスが駆動されることになり、スタンバイ時の消費電力（所謂、待機電力）が国際エネルギースタープログラムの基準に適合しなくなる可能性があった。
【特許文献１】特開２００５−１８２４９号公報
【特許文献２】特開平６−３４８３７８号公報
【特許文献３】実用新案登録第３０９６６７４号公報
【特許文献４】実用新案登録第３１２０５２６号公報
【特許文献５】実用新案登録第３１１０９５０号公報
【発明の開示】
【発明が解決しようとする課題】
【０００９】
そこで、図６に示すように、５Ｖのプルアップ用電圧を供給するためだけのバス専用電源（以下、Ｉ２Ｃ専用電源）６を新たに追加することが考えられる。或いは、図７に示すように、３．３Ｖ系デバイス間におけるプルアップ用電圧は３．３Ｖ系電源にて供給し且つ５Ｖ系デバイス間におけるプルアップ用電圧は５Ｖ系電源にて供給する一方で、Ｉ２Ｃバスの信号線中に例えばＭＯＳ構成のプルアップ用電圧変換回路（以下、３．３Ｖ←→５Ｖ変換回路）７を新たに追加することが考えられる。
【００１０】
しかしながら、Ｉ２Ｃ専用電源６或いは３．３Ｖ←→５Ｖ変換回路７を新たに追加するために、コストアップとなる可能性があった。また、図６の例ではプルアップ用電圧を５Ｖとするため待機電力が増大する可能性があった。
【００１１】
本発明は上記課題に鑑みて為されたもので、その目的とするところは、スタンバイ時と電源オン時とで通信経路が異なるバスの信号線が存在する構成において、待機電力を抑制しつつコストダウンが図れる通信装置を提供することにある。
【課題を解決するための手段】
【００１２】
上記目的を達成するための請求項１に記載の発明は、プルアップ用電圧が供給される信号線を有して所定の信号を伝送するバスと、スタンバイ時及び電源オン時とも稼働して第１所定電圧の供給源となる第１電源と、電源オン時のみ稼働して前記第１所定電圧よりも所定値高い第２所定電圧の供給源となる第２電源と、前記第１電源により駆動されると共に前記プルアップ用電圧が前記第１所定電圧及び前記第２所定電圧の何れであるときも前記バスを介した通信が可能な第１デバイスと、前記第２電源により駆動されると共に前記プルアップ用電圧が第２所定電圧であるときに前記バスを介した通信が可能な第２デバイスと、を備える通信装置において、スタンバイ時には前記第１電源により前記プルアップ用電圧を供給する一方で、電源オン時には前記第２電源により前記プルアップ用電圧を供給するプルアップ用電圧供給回路を備える構成としてある。
【００１３】
上記のように構成された本発明の通信装置において、上記第１デバイスと上記第２デバイスとが同一バスの信号線に接続されて通信を行うことから、スタンバイ時と電源オン時とで通信経路が異なるバスの信号線が存在することになる。そして、プルアップ用電圧供給回路により、スタンバイ時には前記第１電源により前記プルアップ用電圧が供給される一方で、電源オン時には前記第２電源により前記プルアップ用電圧が供給されることから、スタンバイ時には前記プルアップ用電圧が前記第１所定電圧とされる一方で、電源オン時には前記プルアップ用電圧が前記第２所定電圧とされて適切に通信が行われる。
【００１４】
また、好適には、前記プルアップ用電圧供給回路は、前記第１電源から前記信号線への前記プルアップ用電圧の供給を許容し且つ前記第２電源から前記第１電源への電流の流れを遮断するように該第１電源と該信号線との間に直列に配置される第１ダイオードと、前記第２電源から前記信号線への前記プルアップ用電圧の供給を許容し且つ前記第１電源から前記第２電源への電流の流れを遮断するように該第２電源と該信号線との間に直列に配置される第２ダイオードと、を備える構成としても良い。このように構成されることで、ダイオードが追加になるもののバスに流れる電流は小さく汎用のダイオードで済み、またスタンバイ時には前記第１電源から前記信号線へ適切に前記プルアップ用電圧が供給される一方で、前記第２電源が稼働する電源オン時にはその第２電源から前記信号線へ適切に前記プルアップ用電圧が供給される。
【００１５】
また、好適には、前記プルアップ用電圧供給回路は、前記第１ダイオードと同程度の特性であって、前記第１電源から前記第１デバイスへの方向を順方向として該第１電源と該第１デバイスとの間に直列に配置される第３ダイオードと、前記第２ダイオードと同程度の特性であって、前記第２電源から前記第２デバイスへの方向を順方向として該第２電源と該第２デバイスとの間に直列に配置される第４ダイオードと、を備える構成としても良い。このように構成されることで、第３ダイオードにより前記第１電源と前記第１デバイスとの間に第１ダイオードによる順方向電圧降下と同等の順方向電圧降下を生じさせられる。また、第４ダイオードにより前記第２電源と前記第２デバイスとの間に第２ダイオードによる順方向電圧降下と同等の順方向電圧降下を生じさせられる。
【００１６】
また、好適には、前記第１電源は、前記第１ダイオード及び前記第３ダイオードの順方向電圧降下分を前記第１所定電圧に加えた第１電源電圧を供給し、前記第２電源は、前記第２ダイオード及び前記第４ダイオードの順方向電圧降下分を前記第２所定電圧に加えた第２電源電圧を供給する構成としても良い。このように構成されることで、スタンバイ時には、第１デバイスに第１所定電圧が適切に供給されると共に、前記プルアップ用電圧が適切に第１所定電圧とされる。加えて、電源オン時には、第１デバイスに第１所定電圧が適切に供給され、且つ第２デバイスに第２所定電圧が適切に供給されると共に、前記プルアップ用電圧が適切に第２所定電圧とされる。
【００１７】
また、好適には、前記バスは、２線式のシリアルバスであるＩＩＣバスであり、前記第１所定電圧は、３．３Ｖであり、前記第２所定電圧は、５Ｖであり、前記第１デバイスは、薄型テレビジョン装置に備えられたマイコン及び記憶部であり、前記第２デバイスは、前記薄型テレビジョン装置に備えられたチューナ及び信号処理回路であり、前記プルアップ用電圧は、プルアップ抵抗を介して前記信号線に供給されており、前記プルアップ用電圧供給回路は、前記第１電源から前記信号線への前記プルアップ用電圧の供給を許容し且つ前記第２電源から前記第１電源への電流の流れを遮断するように該第１電源と該プルアップ抵抗との間に直列に配置される第１ダイオードと、前記第２電源から前記信号線への前記プルアップ用電圧の供給を許容し且つ前記第１電源から前記第２電源への電流の流れを遮断するように該第２電源と該プルアップ抵抗との間に直列に配置される第２ダイオードと、前記第１ダイオードと同程度の特性であって、前記第１電源から前記第１デバイスへの方向を順方向として該第１電源と該第１デバイスとの間に直列に配置される第３ダイオードと、前記第２ダイオードと同程度の特性であって、前記第２電源から前記第２デバイスへの方向を順方向として該第２電源と該第２デバイスとの間に直列に配置される第４ダイオードとを備えるものであり、前記第１電源は、前記第１ダイオード及び前記第３ダイオードの順方向電圧降下分を前記第１所定電圧の３．３Ｖに加えた第１電源電圧を供給するものであり、前記第２電源は、前記第２ダイオード及び前記第４ダイオードの順方向電圧降下分を前記第２所定電圧の５Ｖに加えた第２電源電圧を供給するものであり、前記薄型テレビジョン装置に備えられる構成としても良い。このように構成されることで、Ｉ２Ｃバスで構成される薄型テレビジョン装置内の通信装置において、４つのダイオードが追加になるもののＩ２Ｃバスに流れる電流は小さく汎用のダイオードで済み、またスタンバイ時には前記第１電源から前記信号線へ適切に前記プルアップ用電圧が供給される一方で、前記第２電源が稼働する電源オン時にはその第２電源から前記信号線へ適切に前記プルアップ用電圧が供給される。また、第３ダイオードにより前記第１電源と前記第１デバイスとの間に第１ダイオードによる順方向電圧降下と同等の順方向電圧降下を生じさせられ、第４ダイオードにより前記第２電源と前記第２デバイスとの間に第２ダイオードによる順方向電圧降下と同等の順方向電圧降下を生じさせられる。そして、スタンバイ時には、第１デバイスに３．３Ｖが適切に供給されると共に、前記プルアップ用電圧が適切に３．３Ｖとされる。加えて、電源オン時には、第１デバイスに３．３Ｖが適切に供給され、且つ第２デバイスに５Ｖが適切に供給されると共に、前記プルアップ用電圧が適切に５Ｖとされる。
【発明の効果】
【００１８】
以上説明したように、請求項１に記載の発明によれば、スタンバイ時には前記プルアップ用電圧が前記第１所定電圧とされる一方で、電源オン時には前記プルアップ用電圧が前記第２所定電圧とされて適切に通信が行われるので、スタンバイ時と電源オン時とで通信経路が異なるバスの信号線が存在する構成において、例えばバス専用電源或いはプルアップ用電圧変換回路等を新たに追加することに比べ、待機電力を抑制しつつコストダウンが図れる通信装置を提供することができる。
【００１９】
また、本発明によれば、ダイオードを追加するだけで、スタンバイ時には前記第１電源から前記信号線へ適切に前記プルアップ用電圧が供給される一方で、前記第２電源が稼働する電源オン時にはその第２電源から前記信号線へ適切に前記プルアップ用電圧が供給されるので、ダイオードが追加になるもののバスに流れる電流は小さく汎用のダイオードで済み、例えばバス専用電源或いはプルアップ用電圧変換回路等を新たに追加することに比べ、待機電力を抑制しつつコストダウンが図れる。
【００２０】
また、本発明によれば、第３ダイオードにより前記第１電源と前記第１デバイスとの間に第１ダイオードによる順方向電圧降下と同等の順方向電圧降下を生じさせられるので、第１デバイスに第１所定電圧が適切に供給される。また、第４ダイオードにより前記第２電源と前記第２デバイスとの間に第２ダイオードによる順方向電圧降下と同等の順方向電圧降下を生じさせられるので、第２デバイスに第２所定電圧が適切に供給される。
【００２１】
また、本発明によれば、スタンバイ時には、第１デバイスに第１所定電圧が適切に供給されると共に、前記プルアップ用電圧が適切に第１所定電圧とされる一方で、電源オン時には、第１デバイスに第１所定電圧が適切に供給され、且つ第２デバイスに第２所定電圧が適切に供給されると共に、前記プルアップ用電圧が適切に第２所定電圧とされるので、第１デバイス及び第２デバイスがそれぞれ適切に駆動されると共に、デバイス間の通信が適切に実行される。
【００２２】
また、本発明によれば、Ｉ２Ｃバスで構成される薄型テレビジョン装置内の通信装置において、４つのダイオードが追加になるもののＩ２Ｃバスに流れる電流は小さく汎用のダイオードで済み、またスタンバイ時には前記第１電源から前記信号線へ適切に前記プルアップ用電圧が供給される一方で、前記第２電源が稼働する電源オン時にはその第２電源から前記信号線へ適切に前記プルアップ用電圧が供給されるので、例えばＩ２Ｃ専用電源或いは３．３Ｖ←→５Ｖ変換回路等を新たに追加することに比べ、待機電力を抑制しつつコストダウンが図れる。また、第３ダイオードにより前記第１電源と前記第１デバイスとの間に第１ダイオードによる順方向電圧降下と同等の順方向電圧降下を生じさせられ、第４ダイオードにより前記第２電源と前記第２デバイスとの間に第２ダイオードによる順方向電圧降下と同等の順方向電圧降下を生じさせられる。そして、スタンバイ時には、第１デバイスに３．３Ｖが適切に供給されると共に、前記プルアップ用電圧が適切に３．３Ｖとされる一方で、電源オン時には、第１デバイスに３．３Ｖが適切に供給され、且つ第２デバイスに５Ｖが適切に供給されると共に、前記プルアップ用電圧が適切に５Ｖとされるので、第１デバイス及び第２デバイスがそれぞれ適切に駆動されると共に、デバイス間の通信が適切に実行される。
【発明を実施するための最良の形態】
【００２３】
以下、図面にもとづいて本発明の実施形態を説明する。
（１）通信装置を備える薄型テレビジョン装置の概略構成
（２）通信装置の構成
（３）プルアップ用電圧供給回路の具体的な回路構成
（４）まとめ
【００２４】
（１）通信装置を備える薄型テレビジョン装置の概略構成
以下、図１、２を参照して本発明が適用される通信装置３０（図３参照）を備えた薄型テレビジョン装置の一例である液晶テレビジョン装置１０の概略構成を説明する。図１は液晶テレビジョン装置１０を示す斜視図であり、図２は液晶テレビジョン装置１０のブロック構成図である。尚、本実施形態では本発明が適用される薄型テレビジョン装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置であれば、本発明の要旨を逸脱しない範囲で種々の変形実施の形態が可能である。また、薄型テレビジョン装置でなくとも、プルアップ用電圧が供給される信号線を有して所定の信号を伝送するバスを備える通信装置を備えておれば本発明は適用され得る。例えば、上記通信装置を備えるオーディオ・ビジュアル機器等に本発明は適用され得る。
【００２５】
図１、図２において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９と、記憶部２０とを備えている。これらマイコン１８等の各部は、バス２１にて接続されている。
【００２６】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
【００２７】
フロントエンド１２は、例えばマイコン１８から入力される制御信号に従って、チューナ１１から出力されたテレビジョン放送信号を中間周波信号に変換して、デコーダ１３に出力する。
【００２８】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
【００２９】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
【００３０】
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
【００３１】
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００３２】
リモコン受信部１７は、例えばリモコン２３から送信された各種信号（制御コマンド）を受信し、それら各種信号に基づく各種データをマイコン１８へ出力する。
【００３３】
リモコン２３は、例えばユーザによって操作され、その操作に応じた各種信号を例えば赤外線或いは電波を用いてリモコン受信部１７へ送信する。
【００３４】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいて電源のオン／オフ、チャンネルの切換え、音量のアップ／ダウン等を制御する。
【００３５】
ＣＰＵ１８ａは、ＲＯＭ１８ｃに記憶された液晶テレビジョン装置１０用の各種処理プログラムに従って、各種の制御動作を行う。
【００３６】
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
【００３７】
ＲＯＭ１８ｃは、液晶テレビジョン装置１０で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００３８】
電源回路１９は、例えば部分共振電源回路であり、商用ＡＣ電源を複数種類の所定の電圧に変換して液晶テレビジョン装置１０の各部へ動作電源電圧を出力する。
【００３９】
記憶部２０は、例えばＥＥＰＲＯＭ等の不揮発性半導体メモリで構成されており、放送信号に対応するチャンネル情報やユーザにより設定された各種調整値等を記憶する。
【００４０】
（２）通信装置の構成
図３は、液晶テレビジョン装置１０が備える通信装置３０の概略を示すブロック構成図である。図３において、通信装置３０は、例えば液晶テレビジョン装置１０に備えられたバス２１、第１電源３１、第２電源３２、第１デバイス３３、第２デバイス３４、プルアップ用電圧供給回路５０から構成されている。
【００４１】
バス２１は、例えばよく知られた２線式のシリアルバスであるＩ２Ｃバスであり、プルアップ用電圧Ｖｐが供給される信号線２１ａを有して所定の信号を伝送する。このプルアップ用電圧Ｖｐは、バス２１の信号線２１ａをプルアップする電圧であり、例えばプルアップ抵抗２１ｂを介して信号線２１ａに供給される。
【００４２】
第１電源３１は、例えば電源回路１９に備えられており、スタンバイ時及び電源オン時とも稼働して例えば３．３ボルト（３．３Ｖ）の第１所定電圧の供給源となる３．３Ｖ系電源である。
第２電源３２は、例えば電源回路１９に備えられており、電源オン時のみ稼働して第１所定電圧３．３Ｖよりも所定値高い例えば５ボルト（５Ｖ）の第２所定電圧の供給源となる５Ｖ系電源である。
【００４３】
第１デバイス３３は、例えばスタンバイ時及び電源オン時とも稼働する第１電源３１により駆動されると共にプルアップ用電圧Ｖｐが第１所定電圧３．３Ｖ及び第２所定電圧５Ｖの何れであるときもバス２１を介した通信が可能な（つまりプルアップ用電圧Ｖｐが３．３Ｖ〜５Ｖで駆動が可能な）３．３Ｖ系デバイスであり、例えばマイコン１８や記憶部２０やリモコン受信部１７等が該当する。
また、第２デバイス３４は、例えば電源オン時のみ稼働する第２電源３２により駆動されると共にプルアップ用電圧Ｖｐが第２所定電圧５Ｖであるときにバス２１を介した通信が可能な（つまりプルアップ用電圧Ｖｐが５Ｖで駆動が可能な）５Ｖ系デバイスであり、例えばチューナ１１やバス２１を介して制御される回路３５等が該当する。この回路３５は、具体的には、フロントエンド１２、デコーダ１３、音声出力部１５等の信号処理回路３６などである。
【００４４】
プルアップ用電圧供給回路５０は、スタンバイ時には第１電源３１によりプルアップ用電圧Ｖｐを供給する一方で、電源オン時には第２電源３２によりプルアップ用電圧Ｖｐを供給する構成とされている。
【００４５】
このように構成された通信装置３０において、バス２１のうちで実線はスタンバイ時及び電源オン時共に通信を行う信号線（ライン）であり、破線は電源オン時のみ通信を行う信号線である。つまり、第１デバイス３３と第２デバイス３４とが同一バス２１の信号線２１ａに接続されて通信を行うことから、スタンバイ時と電源オン時とで通信経路が異なるバス２１の信号線２１ａが存在することになる。
プルアップ用電圧供給回路５０は、このようなスタンバイ時と電源オン時とで通信経路が異なるバス２１の信号線２１ａが存在する構成において電源オン時に破線部分を含めた通信を適切に行うために備えられた回路である。
【００４６】
尚、上記スタンバイ時とは、例えば電源回路１９のメイン電源のオン状態であってマイコン１８等の第１デバイス３３にのみ電源が供給されてユーザによる各種操作（例えば電源オン操作等）の受付を待ち受けていたり予約プログラムに従って待機している等の待機状態である。また、上記電源オン時とは、例えばチューナ１１等の第２デバイス３４にも電源が供給されて液晶パネル１６ｂに映像を表示したりスピーカ１５ｂから音声を出力している等の通常作動状態である。
【００４７】
（３）プルアップ用電圧供給回路の具体的な回路構成
図４は、プルアップ用電圧供給回路の具体的な回路構成を示す図である。
図４において、プルアップ用電圧供給回路５０は、例えば第１電源３１からプルアップ抵抗２１ｂ（信号線２１ａ）へのプルアップ用電圧Ｖｐの供給を許容し且つ第２電源３２から第１電源３１への電流の流れを遮断するように第１電源３１とプルアップ抵抗２１ｂ（信号線２１ａ）との間に直列に配置される第１ダイオード５１と、第２電源３２からプルアップ抵抗２１ｂ（信号線２１ａ）へのプルアップ用電圧Ｖｐの供給を許容し且つ第１電源３１から第２電源３２への電流の流れを遮断するように第２電源３２とプルアップ抵抗２１ｂ（信号線２１ａ）との間に直列に配置される第２ダイオード５２と、第１ダイオード５１と同程度の特性であって、第１電源３１から第１デバイス３３への方向を順方向として第１電源３１と第１デバイス３３との間に直列に配置される第３ダイオード５３と、第２ダイオード５２と同程度の特性であって、第２電源３２から第２デバイス３４への方向を順方向として第２電源３２と第２デバイス３４との間に直列に配置される第４ダイオード５４とを備える。
【００４８】
このような構成において、第１電源３１は、第１ダイオード５１及び第３ダイオード５３の順方向電圧降下ＶＦを考慮して、例えばその順方向電圧降下ＶＦ分である０．５Ｖ程度を第１所定電圧３．３Ｖに加えた３．８Ｖ程度の第１電源電圧を供給する。
また、第２電源３２は、第２ダイオード５２及び第４ダイオード５４の順方向電圧降下ＶＦを考慮して、例えばその順方向電圧降下ＶＦ分である０．５Ｖ程度を第２所定電圧５Ｖに加えた５．５Ｖ程度の第２電源電圧を供給する。
【００４９】
本実施例の場合、バス２１に流れる電流は比較的小さいことから、第１ダイオード５１、第２ダイオード５２、第３ダイオード５３、及び第４ダイオード５４は、汎用のものを使用することができる。つまり、本実施例の様なスタンバイ時と電源オン時とで通信経路が異なるバス２１の信号線２１ａが存在する構成において電源オン時に破線部分を含めた通信を適切に行うために、プルアップ用電圧供給回路５０とは別に例えばＩ２Ｃ専用電源或いは３．３Ｖ←→５Ｖ変換回路等を新たに追加することに比べて、コスト的に有利となる汎用のダイオードを使用することができる。
【００５０】
このように構成されることで、プルアップ用電圧供給回路５０により、スタンバイ時には第１電源３１によりプルアップ用電圧Ｖｐが供給される一方で、電源オン時には第２電源３２によりプルアップ用電圧Ｖｐが供給されることから、スタンバイ時にはプルアップ用電圧Ｖｐが第１所定電圧３．３Ｖとされる一方で、電源オン時にはプルアップ用電圧Ｖｐが第２所定電圧５Ｖとされて適切に通信が行われる。
また、４つのダイオード５１〜５４が追加になるもののバス２１に流れる電流は小さく汎用のダイオードで済み、またスタンバイ時には第１電源３１から信号線２１ａへ適切にプルアップ用電圧Ｖｐが供給される一方で、第２電源３２が稼働する電源オン時にはその第２電源３２から信号線２１ａへ適切にプルアップ用電圧Ｖｐが供給される。
また、第３ダイオード５３により第１電源３１と第１デバイス３３との間に第１ダイオード５１による順方向電圧降下ＶＦと同等の順方向電圧降下を生じさせられ、第４ダイオード５４により第２電源３２と第２デバイス３４との間に第２ダイオード５２による順方向電圧降下ＶＦと同等の順方向電圧降下を生じさせられる。そして、スタンバイ時には、第１デバイス３３に第１所定電圧３．３Ｖが適切に供給されると共に、プルアップ用電圧も適切に第１所定電圧３．３Ｖとされる。加えて、電源オン時には、第１デバイス３３に第１所定電圧３．３Ｖが適切に供給され、且つ第２デバイス３４に第２所定電圧５Ｖが適切に供給されると共に、プルアップ用電圧Ｖｐが適切に第２所定電圧５Ｖとされる。
【００５１】
（４）まとめ
上述のように、本実施例によれば、スタンバイ時にはプルアップ用電圧Ｖｐが第１所定電圧３．３Ｖとされる一方で、電源オン時にはプルアップ用電圧Ｖｐが第２所定電圧５Ｖとされて適切に通信が行われるので、スタンバイ時と電源オン時とで通信経路が異なるバス２１の信号線２１ａが存在する構成において、例えばＩ２Ｃ専用電源或いは３．３Ｖ←→５Ｖ変換回路等を新たに追加することに比べ、待機電力を抑制しつつコストダウンが図れる通信装置３０を提供することができる。
【００５２】
また、本実施例によれば、４つのダイオードが追加になるもののＩ２Ｃバスに流れる電流は小さく汎用のダイオードで済み、例えばＩ２Ｃ専用電源或いは３．３Ｖ←→５Ｖ変換回路等を新たに追加することに比べ、待機電力を抑制しつつコストダウンが図れる。
【００５３】
また、本実施例によれば、第３ダイオード５３により第１ダイオード５１と同等の順方向電圧降下ＶＦを生じさせられ、第４ダイオード５４により第２ダイオード５２と同等の順方向電圧降下ＶＦを生じさせられる。そして、スタンバイ時には第１所定電圧３．３Ｖが適切に供給されると共に、電源オン時には第１所定電圧３．３Ｖ及び第２所定電圧５Ｖが適切に供給されるので、第１デバイス３３及び第２デバイス３４がそれぞれ適切に駆動されると共に、各デバイス間の通信が適切に実行される。
【００５４】
以上、本発明の実施例を図面に基づいて詳細に説明したが、上述したのはあくまでも一実施形態であり、本発明は当業者の知識に基づいて種々の変更、改良を加えた態様で実施することができる。
【図面の簡単な説明】
【００５５】
【図１】本発明が適用される通信装置を備えた液晶テレビジョン装置の一例を示す斜視図である。
【図２】液晶テレビジョン装置の構成を例示するブロック図である。
【図３】通信装置の概略構成を例示するブロック図である。
【図４】プルアップ用電圧供給回路の具体的な回路構成を例示する図である。
【図５】テレビジョン受信装置に備えられたマイコン等の各種デバイス間がＩ２Ｃバスで接続された従来例を例示するブロック図である。
【図６】Ｉ２Ｃバスにプルアップ用電圧を供給する従来例を例示するブロック図である。
【図７】Ｉ２Ｃバスにプルアップ用電圧を供給する別の従来例を例示するブロック図である。
【符号の説明】
【００５６】
１０：薄型テレビジョン装置
１１：チューナ（第２デバイス）
１８：マイコン（第１デバイス）
２０：記憶部（第１デバイス）
２１：バス（Ｉ２Ｃバス、ＩＩＣバス、２線式のシリアルバス）
２１ａ：信号線
２１ｂ：プルアップ抵抗
３０：通信装置
３１：第１電源
３２：第２電源
３３：第１デバイス
３４：第２デバイス
３６：信号処理回路（第２デバイス）
５０：プルアップ用電圧供給回路
５１：第１ダイオード
５２：第２ダイオード
５３：第３ダイオード
５４：第４ダイオード 
【図１】
2009048405.tif 000003
【図２】
2009048405.tif 000004
【図３】
2009048405.tif 000005
【図４】
2009048405.tif 000006
【図５】
2009048405.tif 000007
【図６】
2009048405.tif 000008
【図７】
2009048405.tif 000009